(57)【要約】【課題】汲水効率を高め、気泡の生成を減少させることができる排水インペラを提供する。【解決手段】排水インペラ１０は、一つの軸心１１、一つの環状底板２１及び一つの環状壁面３１を備える。軸心１１は、一端が連接槽１３を有し、一つの駆動軸を連接するのに用いられ、径方向外側に向かって複数の支持リブ１５が延伸されている。環状底板２１は、複数の支持リブ１５の底部に設けられており、環状底板２１と軸心１１とが離間し、軸心１１、複数の支持リブ１５及び環状底板２１の間に複数の彫刻部が形成されており、環状底板２１の底面が波状起伏に形成されている。環状壁面３１は、一つの上側縁部３３及び一つの下側縁部３５を含み、各支持リブ１５の外側端部に連結されており、下側縁部３５により環状底板２１に連結されており、上側縁部３３が波状に起伏しており、下側縁部３５が波状に起伏している。【選択図】図１
2018119430.tif 000002
【特許請求の範囲】
【請求項１】
一つの軸心、一つの環状底板及び一つの環状壁面を備え、
前記軸心は、一端が連接槽を有し、一つの駆動軸を連接するのに用いられ、径方向外側に向かって複数の支持リブが延伸されており、
前記環状底板は、複数の前記支持リブの底部に設けられており、前記環状底板と前記軸心とが離間しており、前記軸心、複数の前記支持リブ及び前記環状底板の間に複数の彫刻部が形成されており、前記環状底板の底面が波状起伏に形成されており、
前記環状壁面は、一つの上側縁部及び一つの下側縁部を含み、各前記支持リブの外側端部に連結されており、前記下側縁部により前記環状底板に連結されており、前記上側縁部が波状に起伏しており、前記下側縁部が波状に起伏していることを特徴とする排水インペラ。
【請求項２】
前記上側縁部の波状起伏と、前記下側縁部の波状起伏とは、互いに対称であり、前記上側縁部の波状起伏の頂点が前記下側縁部の波状起伏の頂点に対応しており、前記上側縁部の波状起伏の底点が前記下側縁部の波状起伏の底点に対応していることを特徴とする請求項１に記載の排水インペラ。
【請求項３】
前記下側縁部と前記環状底板との連結部は、アール形状であることを特徴とする請求項１に記載の排水インペラ。
【請求項４】
前記上側縁部の波状起伏と前記下側縁部の波状起伏とは、互いに対称でないことを特徴とする請求項１に記載の排水インペラ。
【請求項５】
複数の前記支持リブの頂部は、前記環状壁面の前記上側縁部より低く形成されていることを特徴とする請求項１に記載の排水インペラ。
【請求項６】
前記環状底板は、錐状に形成されており、前記軸心に近づくにつれて低く、前記軸心から離れるにつれて高く形成されていることを特徴とする請求項１に記載の排水インペラ。
【請求項７】
前記環状底板の底面は円周方向に波状に起伏していることを特徴とする請求項１に記載の排水インペラ。
【発明の詳細な説明】
【技術分野】
【０００１】
本発明は、排水装置に関し、特に、排水装置の排水インペラに関する。
【背景技術】
【０００２】
空気調和機の排水装置は騒音を発生する。騒音の一部は、インペラが凝縮した水の中の気泡と衝突して生じる抵抗による振動、または衝撃により気泡が破裂して発生する音によるものである。よって、インペラが汲水時に気泡に与える衝撃を低減することができれば騒音の発生を効果的に抑制することができる。
【０００３】
特許文献１にて開示された排水装置によると、大径インペラが内側インペラ及び外側インペラに分けられ、内外に交互に設置されている。インペラの交互配置によって渦巻が形成された時、回転方向の下流に気泡を逃がし、インペラに対する衝撃を減少させる。これにより、気泡が破裂することにより発生する騒音、及び気液の混合流体の衝撃がインペラに加わったことの負荷により生じる振動を減少させる。
【０００４】
また、本出願人は特許文献２にて、空調設備用の排水装置の排水インペラを開示した。この排水インペラは、一つの波状に起伏した環状フィン板が支持リブの底縁部に形成されている。環状フィン板は、ガイド方式により騒音を減少させる。そして、渦巻きが生じる擾乱を低下させ、全体構造の振動を低減し、騒音を減少させる。
【先行技術文献】
【特許文献】
【０００５】
【特許文献１】台湾特許第４９９７２４号公報
【特許文献２】台湾実用新案登録第３０８３８６号
【発明の概要】
【発明が解決しようとする課題】
【０００６】
特許文献１にて開示された排水装置のインペラの構造は、騒音を低減させることが可能である。しかし、本出願人は、インペラの構造に対して改良を行い、汲水効率を高めることができれば、さらに優れた効果を有するインペラになると考えた。
また、特許文献２にて開示された排水インペラは、環状フィン板の底部の波状の起伏構造により騒音の発生を減少させているが、本出願人は構造にさらなる改良の余地があると考えた。
本発明の主な目的は、上述の課題に鑑みて創作されたものであり、汲水効率を高め、気泡の生成を減少することができる排水インペラを提供することにある。
【課題を解決するための手段】
【０００７】
上述の目的を達成するために、本発明の排水インペラは、一つの軸心、一つの環状底板及び一つの環状壁面を備える。軸心は、一端が連接槽を有し、一つの駆動軸を連接するのに用いられ、径方向外側に向かって複数の支持リブが延伸されている。環状底板は、複数の支持リブの底部に設けられており、環状底板と軸心が離間しており、軸心、複数の支持リブ及び環状底板の間に複数の彫刻部が形成されており、環状底板の底面が波状起伏に形成されている。環状壁面は、一つの上側縁部及び一つの下側縁部が定義されており、各支持リブの外側端部に連結されており、下側縁部により環状底板に連結されており、上側縁部が波状に起伏しており、下側縁部が波状に起伏している。
【０００８】
これにより、本発明は汲水効率を高めることができ、同時に気泡の生成を減少させることができる。
【図面の簡単な説明】
【０００９】
【図１】本発明の一実施例の斜視図である。
【図２】本発明の一実施例を別の角度で示す斜視図であり、複数の彫刻部を示す。
【図３】本発明の一実施例示す正面図である。
【図４】本発明の一実施例の使用状態を示す断面図である。
【発明を実施するための形態】
【００１０】
本発明の特徴を説明するために、図面に合わせて以下の実施例を説明する。
【００１１】
図１から３に示すように、本発明の一実施例による排水インペラ１０は、一つの軸心１１、一つの環状底板２１及び一つの環状壁面３１を備える。
【００１２】
軸心１１は、一端が連接槽１３を有し、一つの駆動軸９０を連接するのに用いられ、径方向外側に向いて複数の支持リブ１５が延伸されている。これにより、本発明の汲水の効果を達成する。
【００１３】
この環状底板２１は、複数の支持リブ１５の底部に設けられている。環状底板２１と軸心１１とは一定距離を持って離間しており、軸心１１、複数の支持リブ１５及び環状底板２１の間に複数の彫刻部２３が形成されており、環状底板２１の底面が波状起伏に形成されている。これにより、環状底板２１に補助的な汲水効果を提供する。鋸歯状としない理由は、鋸歯状とする場合、汲水効果が波状起伏より優れているが、鋸歯状の表面と気泡が正面に衝突し、気泡に対する衝撃が大きく振動及び破裂が発生し、騒音を発生させるからである。また、環状底板２１が錘状となっており、軸心１１から離れるにつれて徐々に高くなる。上述の構造により、環状底板２１が渦巻の形態により調和し、気泡の生成を抑制する。
【００１４】
環状壁面３１は、一つの上側縁部３３及び一つの下側縁部３５が定義されており、各支持リブ１５の外側端部に連結されており、下側縁部３５により環状底板２１に連結されている。上側縁部３３が波状に起伏しており、下側縁部３５が波状に起伏している。上側縁部３３及び下側縁部３５が波状に起伏している構造的特徴と、下側縁部３５及び環状底板２１の構造的特徴とにより、汲水効率を増加できるほか、排水インペラ１０が回転するときに発生する気泡を減少することができる。本実施例では、下側縁部３５と環状底板２１との連結部はアール形状である。このような構造で、気泡の発生を減少することができるが、下側縁部３５と環状底板２１の連結部は排水インペラ１０の底部に近接しており、多くの場合、渦流れの液面下に位置する。よって、下側縁部３５と環状底板２１との連結部をアール形状とするか否かは、使用環境に基づいて決めることができ、本発明の必須要件ではない。上側縁部３３の波状起伏と、下側縁部３５の波状起伏とは、互いに対称であり、上側縁部３３の波状起伏の頂点が下側縁部３５の波状起伏の頂点に対応し、上側縁部３３の波状起伏の底点が下側縁部３５の波状起伏の底点に対応している。また、上側縁部３３の波状起伏と、下側縁部３５との波状起伏は、互いに対称でない構成であっても（図示せず）、同様な効果を有する。
【００１５】
また、本実施例では、複数の支持リブ１５の頂部は環状壁面３１の上側縁部３３に当接している。複数の支持リブ１５の頂部が渦巻の液面より高いとき、空気が容易に水の中に巻き込まれ気泡が発生する。渦巻きの液面が複数の支持リブ１５の頂部より高く、上側縁部３３よりも低くなるように、複数の支持リブ１５の頂部を上側縁部３３より低く設置すると気泡の発生を避けられるという利点がある。また、複数の支持リブ１５の頂部及び上側縁部３３が渦巻の液面の下に位置する使用環境では、複数の支持リブ１５の頂部の高さを制限する必要はない。他に、様々な使用環境に基づいて構造上の改変を行うことができる。
【００１６】
以上、本発明の一つの好ましい実施例の構造を説明した。以下、本発明の一つの好ましい実施例の使用状態を説明する。
【００１７】
図１、３、４に示すように、本発明は、使用されるとき、駆動軸９０の一端がモーター９２に連結されている。駆動軸９０の他端には連接槽１３が組み付けられている。排水インペラ１０は一つの集水槽９１内に設けられている。モーター９２が排水インペラ１０を駆動し作動する時、集水槽９１内の凝縮水を連動させ渦巻を形成する。環状底板２１の底面が波状に起伏している構造的特徴と、上側縁部３３及び下側縁部３５が波状に起伏している構造的特徴とは、汲水を補助する機能を有し、かつ気泡を発生させにくい。また、下側縁部３５と環状底板２１との連結部はアール形状であることも、気泡の発生を減少させることに役立つ。最後に、凝縮された水は渦巻と連動し一つの排水口９３から排出される。
【００１８】
上述のように、本発明は、環状底板２１の底面が波状に起伏している構造的特徴と、環状壁面３１の上側縁部３３及び下側縁部３５が波状に起伏している構造的特徴とにより、汲水の効率を高め、気泡の発生を減少させることができる。
【符号の説明】
【００１９】
１０  排水インペラ
１１  軸心
１３  連接槽
１５  支持リブ
２１  環状底板
２３  彫刻部
３１  環状壁面
３３  上側縁部
３５  下側縁部
９０  駆動軸
９１  集水槽
９２  モーター
９３  排水口
【図１】
2018119430.tif 000003
【図２】
2018119430.tif 000004
【図３】
2018119430.tif 000005
【図４】
2018119430.tif 000006